(57)【要約】【課題】  複数枚のフレキシブルな可撓性を有する表示ディスプレイを用いた構成とすることで、携帯性や操作性、利便性が高い表示装置を提供する。【解決手段】  表示装置１００は、表示ディスプレイ１２０、夫々の表示制御部及び信号処理部１１０、夫々の表示ディスプレイ１２０を引き出すためのディスプレイ引出し部１３０とで構成されている。表示制御部及び信号処理部１１０は、表示装置１００内で回転し、３枚の表示ディスプレイ１２０を共通に巻き取るようにしている。【選択図】      図１
2005114796.tif 000002
【特許請求の範囲】
【請求項１】
１のディスプレイが複数の表示ディスプレイ部で構成され、前記表示ディスプレイ部の少なくとも一部が可撓性を有する表示装置であって、
前記ディスプレイを収納するための収納部と、
一端が前記収納部内部で回転自在に固定されており、他端が前記収納部外部にある前記表示ディスプレイ部の表示制御を行う表示制御部と、
を有したことを特徴とする表示装置。
【請求項２】
前記ディスプレイは、前記収納部内部に前記複数の表示ディスプレイ部の所望の数を残したままで、前記収納部外部に引き出されている前記複数の表示ディスプレイ部のみを表示可能とする表示選択手段と、
前記表示選択手段により表示された前記複数の表示ディスプレイ部に対して、表示信号の拡大縮小表示を行う拡大縮小表示手段と、
をさらに具備したことを特徴とする請求項１に記載の表示装置。
【請求項３】
前記表示選択手段により表示された前記複数の表示ディスプレイ部に対して、入力フォーマットの異なった複数の入力表示信号を同時に表示するための信号処理回路をさらに具備したことを特徴とする請求項１または請求項２に記載の表示装置。
【発明の詳細な説明】
【技術分野】
【０００１】
本発明は、表示装置に関し、特に複数枚のフレキシブルな可撓性を有する表示ディスプレイを用いた表示装置に関する。
【背景技術】
【０００２】
近年、液晶ディスプレイ（ＬＣＤ）やプラズマディスプレイパネル（ＰＤＰ）などの平面表示デバイスを用いた表示装置は、同サイズの陰極線管（ＣＲＴ）よりも薄型・軽量のため、パソコン用モニタやテレビ受像機、公共表示板、会議スペースでのモニタ表示装置等で普及しつつある。
【０００３】
しかしながら、薄型で大画面表示の要望が進むにつれて、薄型であっても表示面積としてのスペースが無視できなくなる。この種の要望に対して従来では、投射型のプロジェクタ等で大型スクリーンに投影する方式が多数提案されている。
上述の投射型のプロジェクタを使用する場合には、プロジェクタ設置スペース、拡大してスクリーンへ投影するまでの距離やその間に障害物を置けないなど、大型で投影する際のさまざまな障害や不便さが生じている。
【０００４】
一方、平面表示デバイスを用いた表示装置は、比較的小型な表示サイズのものがノート型ＰＣ、ＰＤＡ、携帯電話、カーナビゲーションシステム、電子ブックプレイヤー等の各種の携帯機器の表示装置として広く普及している。この種の携帯機器に対する要望としては、小型・軽量で手軽に持ち運びできることであり、持ち運び時にはできるだけ省スペースで収納しやすい形態が望まれている。
これらの持ち運び時にはできるだけ省スペースで収納しやすい形態を解決する表示装置が提案されている（例えば、特許文献１〜３参照。）。
また、ノート式情報処理装置、電子ブック携帯の表示装置が提案されている（例えば、特許文献４〜６参照。）。
特許文献１〜３に記載の発明は、表示パネルとして可撓性を持たせたディスプレイを用いており、特許文献１と２では、上記ディスプレイをロール上に収納できるようにしている。
特許文献４〜６に記載の発明は、複数枚の平面ディスプレイやペーパー状媒体を用いており、ページをめくりながら紙の書籍と同様な感覚で取り扱うことができるものである。      
【０００５】
【特許文献１】特開平１１−２７２２０５号公報
【特許文献２】特開２００２−１８２５８２公報
【特許文献３】特開２００３−４３９５５公報
【特許文献４】特開平６−２７４４５８号公報
【特許文献５】特開２００３−５８０８１公報
【特許文献６】特開２００３−５８５４４公報
【発明の開示】
【発明が解決しようとする課題】
【０００６】
ところで、上述の特許文献１，２に記載の提案では、単画面の表示には適しているが、複数画面、特に入力フォーマットの異なった画面が入力された場合、例えば、放送信号と文書情報や地図情報を同時に見たい場合などでは、複数信号を受信するたびに受信機側でフォーマット変換して複数画面を合成したり、１枚の表示画面上に複数画面で表示するために拡大縮小処理を行わなければならず、処理回路が複雑になってしまうという問題があった。
また、複数の文書画面を同時に見たい場合など、同時に表示したい画面数が多くなれば、１画面当りの表示面積が小さくなり見づらくなるという問題点もある。さらに、複数画面を見たいがために表示装置を複数セット用いると、携帯性や利便性が損なわれるばかりでなく、設置場所の増大など新たな問題点が発生してしまう。
【０００７】
上述の特許文献３〜６に記載の提案では、１ページ当りの表示面積にもよるが、できるだけ１ページ当りの表示面積を大きくして見やすくしようとすると、少なくとも表示面積分の大きさの装置になってしまい、携帯性に適さないものとなってしまうという問題があった可能性がある。
また、使用形態が書籍情報を表示するなどに限定されてしまう可能性もある。さらに、３画面以上の情報を同時に見たい場合にはページをめくって見るか、見開き２ページ内で見ようとする場合には、上記特許文献１，２と同様な問題点が発生してしまう。
【０００８】
本発明は、以上の点に鑑みなされたもので、複数枚のフレキシブルな可撓性を有する表示ディスプレイを用いて携帯性や操作性、利便性が向上できる表示装置を提供することを目的とする。
【課題を解決するための手段】
【０００９】
本発明は、上記課題を解決するために、以下に記載の１）〜３）に記載の手段よりなる。
すなわち、
１）１のディスプレイが複数の表示ディスプレイ部で構成され、前記表示ディスプレイ部の少なくとも一部が可撓性を有する表示装置であって、
前記ディスプレイを収納するための収納部と、
一端が前記収納部内部で回転自在に固定されており、他端が前記収納部外部にある前記表示ディスプレイ部の表示制御を行う表示制御部と、
を有したことを特徴とする表示装置。
２）前記ディスプレイは、前記収納部内部に前記複数の表示ディスプレイ部の所望の数を残したままで、前記収納部外部に引き出されている前記複数の表示ディスプレイ部のみを表示可能とする表示選択手段と、
前記表示選択手段により表示された前記複数の表示ディスプレイ部に対して、表示信号の拡大縮小表示を行う拡大縮小表示手段と、
をさらに具備したことを特徴とする１）に記載の表示装置。
３）前記表示選択手段により表示された前記複数の表示ディスプレイ部に対して、入力フォーマットの異なった複数の入力表示信号を同時に表示するための信号処理回路をさらに具備したことを特徴とする１）または２）に記載の表示装置。
【発明の効果】
【００１０】
本発明の「表示装置」によれば、表示装置収納部内部の制御部に接続されている複数の表示ディスプレイを全て収納可能としたので、夫々の表示ディスプレイの表示面積を大きく設定することが可能となるだけでなく、表示装置を小型化、軽量化することができるので、携帯性、利便性に優れた移動体端末を実現することができる。
また、表示ディスプレイを複数枚用意したので、放送信号と文書情報や地図情報など、入力フォーマットの異なった複数の画像を同時に見ることができると共に、夫々の画像を合成してフォーマット変換することもないので、処理回路が簡素になり、夫々最適な画像処理を施した大きな表示画面で高画質な画像を表示することが可能となる。
【発明を実施するための最良の形態】
【００１１】
以下、本発明に係る表示装置の発明を実施するための最良の形態につき、好ましい実施例により説明する。
【実施例１】
【００１２】
図１、図２に実施例１に適用される表示装置の概略構成図を示す。実施例１の表示装置は、主に携帯して持ち歩いて使用する電子ブックなどの書籍データを表示する形態を想定した構成例である。
図１は、表示装置１００内にフレキシブルな可撓性を有する３枚の表示ディスプレイ１２０が収納された状態を示している。表示装置１００は、表示ディスプレイ１２０夫々の表示制御部及び信号処理部１１０と、夫々の表示ディスプレイ１２０を夫々引き出すためのディスプレイ引出し部１３０とで構成されている。表示制御部及び信号処理部１１０は、表示装置１００内で回転し、３枚の表示ディスプレイ１２０を共通に巻き取れるような構造となっている。なお、表示ディスプレイはモノクロでもカラーでもよい。
【００１３】
図２は、表示装置１００における３枚の表示ディスプレイ１２０の表示画面を引き出した状態を示しており、実際に電子ブックとして書籍データを表示する形態を示している。表示装置１００は、携帯機器としての移動体端末にして使用できるように充電池を内蔵して画面を表示させるようにしている。書籍データは表示装置１００にメモリーカードやディスク又はカード状の記録媒体を差し込んで取り込んでもよいし、通信装置により伝送されたデータをダウンロードして取り込む形式でもよい。
【００１４】
図１、図２のような表示装置１００の構成にすることにより、表示ディスプレイ１２０を収納時には、従来の見開き状の電子ブックよりも小型化することができる。また、表示ディスプレイ１２０を引き出した時の画面サイズを大型化することが可能となるため、書籍データの文字を大きく表示できるので見やすい画面にすることができる。
さらに、複数枚の表示ディスプレイを用いているので、複数ページのデータを同時に表示することができ、他のページと見比べる際に便利になる。
なお、複数ページ表示の際には、必ずしもページ順で表示することはなく、基準ページを常時表示した上で、基準ページとは離れた参照したいページを次のページの表示ディスプレイに表示すればよい。
【実施例２】
【００１５】
図３〜図５は実施例２に適用される表示装置の概略構成を示した図である。実施例２の表示装置は、携帯性がありながら２画面表示を受信する形態を想定した構成例である。
図３は、表示装置１０１内にフレキシブルな可撓性を有する２枚の表示ディスプレイ１２１ａ，１２１ｂともう１枚の可撓性の無い表示ディスプレイ１４０が収納された状態を示している。表示装置１０１は、表示ディスプレイ１２１ａ，１２１ｂ夫々の表示制御部及び信号処理部１１１ａ，１１１ｂと、２枚の表示ディスプレイ１２１ａ，１２１ｂを夫々引き出すためのディスプレイ引出し部１３１ａ，１３１ｂと、表示ディスプレイ１４０の表示制御部及び信号処理部を含む信号処理部１５０で構成されている。表示制御部及び信号処理部１１１ａ，１１１ｂは、表示装置本体１０１内で夫々回転し、２枚の表示ディスプレイ１２１ａ，１２１ｂを夫々に巻き取れるような構造となっている。なお、表示ディスプレイはモノクロでもカラーでも構わない。
【００１６】
図４は、表示装置１０１における３枚の表示ディスプレイ１２１ａ，１２１ｂ，１４０の表示画面を夫々引き出した状態を示しており、実際の使用状況における形態を示している。表示装置１０１は、携帯電話などの携帯機器としての移動体端末にして使用できるように充電池を内蔵して画面を表示させるようにしている。カーナビ等の表示装置として使用する場合には車内バッテリーなどの電源を接続して画面を表示させてもよい。
また、表示装置１０１表面には操作ボタン１６０が設けてあり、表示ディスプレイの入力画像選択や映像調整、メニュー操作などを行うことができるようにしている。
【００１７】
実際にカーナビ用表示装置として使用する場合には、図５に示すように、可撓性を有する２枚の表示ディスプレイ１２１ａ，１２１ｂの裏面に、表示ディスプレイ１２１ａ，１２１ｂを引き伸ばしたまま保持するための引き伸ばし保持手段１７０ａ，１７０ｂを設けて使用する。また、図示はしていないが、カーナビ本体やダッシュボード上部などに表示装置１０１を差し込んで保持する装置本体保持手段を設けて表示装置１０１を固定して使用する構成としてもよい。
なお、表示ディスプレイが表裏両面表示できる場合もあるので、引き伸ばし保持手段１７０ａ，１７０ｂは必ずしも必要とはしない。この場合は、引き伸ばし保持手段１７０ａ，１７０ｂの代わりに、カーナビ本体やダッシュボード上部に、表示ディスプレイ１２１ａ，１２１ｂを引き伸ばしたまま保持するための固定保持手段を備えるようにすればよい。
【００１８】
実際の使用例としては、図４において、右ハンドル車の場合、左側の助手席側に近い表示ディスプレイ１２１ａには、デジタル放送などのテレビ放送画面を表示し、右側の運転席側に近い表示ディスプレイ１２１ｂには、カーナビゲーション用の地図画面を表示して使用する。
また、表示本体１０１上部の表示ディスプレイ１４０には、テレビのチャンネル情報や文字情報，時計表示や現在の市街地名称などの補助情報を表示するようにして使用する。
【００１９】
また、カーナビ用表示装置とは別に携帯電話などの移動体端末としても上記と同様に、テレビ放送表示と書籍データ等を同時表示するなどして使用してもよい。なお、表示装置を通常は携帯電話用として使用し、同じ本体を車内ではカーナビゲーション用表示装置として使用するなど、複数の目的に共通に使えるような形態にしてもよい。
【００２０】
他の使用例としては、操作ボタン１６０を多く設けられる場合には、ＰＤＡやノートパソコン用途としての表示ディスプレイとして使用することが可能である。また、例えば、表示ディスプレイ１２１ａをモニタ画面とし、表示ディスプレイ１２１ｂをタッチパネル画面としてキーボードの各キーを表示するようにすれば、ノートパソコンよりも小型・携帯性に優れた携帯パソコンを実現することが可能である。
【００２１】
図３〜図５のような表示装置の構成にすることにより、表示ディスプレイ１２１ａ，１２１ｂ，１４０を収納時には小型化・軽量化ができ、手軽に持ち運んで使用することができる。また、表示ディスプレイ１２１ａ，１２１ｂ，１４０を引き出す方向の画面サイズを大型化することが可能となるため、同じ大きさの見やすい左右２画面表示として、テレビ放送画面や地図画面など、入力フォーマットの異なった複数の画像を同時に見ることができる。
さらに、従来においては、１枚の表示ディスプレイで２画面表示する場合、夫々の画像を縮小したりフォーマット変換したりするので、処理回路が複雑で画面も見にくくなってしまったが、本発明の表示装置では、夫々の画像を縮小することなく、フォーマット変換することもないので、処理回路を複雑にしなくて良く、夫々最適な画像処理を施した大きな表示画面で高画質な画像を視聴することが可能となる。
【００２２】
なお、図３〜図５では、フレキシブルな可撓性を有する表示ディスプレイを２枚としたがこれに限定すること無く、それ以上の枚数の表示ディスプレイ、例えば、図６のように、フレキシブルな可撓性を有する表示ディスプレイを８枚としてもよい。このように、可撓性を有する表示ディスプレイの枚数を増やすことにより、上述した複数の目的を増やすことが可能となる。例えば、図６のような表示装置の場合、携帯電話などの移動体端末やカーナビゲーション用表示装置としてだけでなく、電子ブックとしても便利に使用することが可能である。
【実施例３】
【００２３】
図７、図８は実施例３に適用される表示装置の概略構成を示した図である。実施例３の表示装置は、大型画面で最大３画面表示を受信する形態を想定した構成例である。
図７は、表示装置１０３内にフレキシブルな可撓性を有する３枚の表示ディスプレイ１２３ａ，１２３ｂ，１２３ｃを引き伸ばしている状態を示している。３枚の表示ディスプレイ１２３ａ，１２３ｂ，１２３ｃを完全に収納すると表示装置１０３のみの大きさとなる。
表示装置１０３は、表示ディスプレイ１２３ａ，１２３ｂ，１２３ｃの表示制御部及び信号処理部１１３ａ，１１３ｂ，１１３ｃと、３枚の表示ディスプレイ１２３ａ，１２３ｂ，１２３ｃを夫々引き出すためのディスプレイ引出し部１３３ａ，１３３ｂ，１３３ｃと、信号処理部１５３で構成されている。表示制御部及び信号処理部１１３ａ，１１３ｂ，１１３ｃは、表示装置１０３内で夫々回転し、３枚の表示ディスプレイ１２３ａ，１２３ｂ，１２３ｃを夫々に巻き取れるような構造となっている。なお、表示ディスプレイはモノクロでもカラーでも構わない。
【００２４】
図８は、図７の表示装置１０３における３枚の表示ディスプレイ１２３ａ，１２３ｂ，１２３ｃの表示画面を夫々引き出した状態を示しており、実際の使用状況における形態を示している。同図では、３枚の表示ディスプレイの長さが夫々異なっているが、夫々同じ長さまで引き伸ばすことが可能である。信号処理部１５３と信号入力部１５４は、信号ケーブルで接続してもよいし、無線にして表示データを伝送してもよい。
同図は、例えば、従来のプロジェクタ用スクリーンのような使用形態を想定したものである。従来のプロジェクタ用スクリーンは、プロジェクタから送られた信号をスクリーン上に投影するためだけの目的であったが、本発明の表示装置ではスクリーンそのものが自発光で表示できるスクリーンであり、且つ、複数のスクリーンを設けているので従来は不可能であった、入力フォーマットの異なった複数の表示信号や投影画面を近い場所に同時に表示することが可能である。
【００２５】
同図では、上下３分割された表示画面を示しているが、実際の使用例としては、３人分のプレゼン画面を同時に表示するなどの使用形態が考えられる。従来の場合は１人毎にパソコンをプロジェクタに接続するなどしてプレゼンテーションしていたが、表示装置１０３の場合、３人分のパソコン出力を全て信号入力部１５４に接続し、３枚の表示画面上に同時に表示することができる。パネルディスカッション等で複数人の資料を同時に閲覧したい場合には効果的である。また、パソコン画面以外にもデジタル放送などのテレビ放送、通信情報やビデオ、ＤＶＤ等の記録メディアの再生画面等を同時に表示することができる。部分的にＯＨＰ等の資料を投影するスクリーンとして使用してもよい。
【００２６】
同図のように、上下３分割の領域に分割して表示する場合、表示ディスプレイ１２３ａは、上側３分の２の領域は表示装置１０３内に収納され下側３分の１が表示可能領域となっている。また、表示ディスプレイ１２３ｂは、上側３分の１の領域は表示装置１０３内に収納され下側３分の２が表示可能領域となっており、表示ディスプレイ１２３ｃは、表示装置１０３内には収納されておらず全て引き出された状態であるため、全てが表示可能領域となっている。
【００２７】
しかし、表示ディスプレイ１２３ｂに関しては、表示可能領域の内、表示ディスプレイ１２３ａと重なっている部分より下の領域で表示する必要がある。また、表示ディスプレイ１２３ｃに関しては、表示可能領域の内、表示ディスプレイ１２３ｂと重なっている部分より下の領域で表示する必要がある。
このように、上下３分割の領域に分割して同時に表示する場合には、表示可能領域内で表示側から見て、他の表示ディスプレイがどの位の長さ、又はライン数分、重なっているかを検出し、他の表示ディスプレイが重なっていない領域で表示するように表示信号の拡大縮小を夫々の表示制御部及び信号処理部１１３ａ，１１３ｂ，１１３ｃで処理を行っていく。
【００２８】
なお、少なくとも表示ディスプレイ１２３ａ，１２３ｂが透明のディスプレイである場合には上記の限りではなく、表示ディスプレイ１２３ｂ，１２３ｃに背景画像等を表示して表示画像を重ね合わすようにしてもよい。
また、表示ディスプレイ１２３ａ，１２３ｂ，１２３ｃの表示面が表裏両面に表示できる場合には、表側の表示面と、裏側の表示面とで、夫々表示面の手前側に他の表示ディスプレイが重なっているかどうかを検出し、重なっていない領域で表示するように表示信号の拡大縮小を夫々の表示制御部及び信号処理部１１３ａ，１１３ｂ，１１３ｃで処理を行っていくとよい。
【００２９】
実施例３のような表示装置１０３にすることにより、表示ディスプレイ１２３ａ，１２３ｂ，１２３ｃを収納時には小型化ができ、天井などに備え付けることで表示装置未使用時におけるスペースを有効に活用することができる。なお、表示装置を天井に備え付けて使用する場合には、表示ディスプレイ１２３ａ，１２３ｂ，１２３ｃの引き出しを自動で行えるようにしたり、互いに長さを異ならして引き出す際も引き出す長さを制御して自動で引き出せるようにしてもよい。
【００３０】
また、表示ディスプレイ１２３ａ，１２３ｂ，１２３ｃを引き出す方向の画面サイズを夫々自在の長さにできるので、複数人の資料を同時に閲覧したい場合に各表示ディスプレイで引出し長さを調節し、図８のような複数画面表示を行うことができる。この場合、入力フォーマットの異なった複数の画像であっても、夫々の画像を合成する際のフォーマット変換を行う必要がないので、処理回路を複雑にしなくて良く、夫々最適な画像処理を施した高画質な画像を同時に表示することができる。
【００３１】
なお、図７や図８では、フレキシブルな可撓性を有する表示ディスプレイを３枚としたがこれに限定すること無く、それ以外の枚数の表示ディスプレイでもよい。また、表示装置１０３の幅全体から表示ディスプレイが引き出される構造でなくても良く、例えば、図９のように、フレキシブルな可撓性を有する表示ディスプレイを６枚とし、表示装置１０４の半分の幅から夫々３枚ずつ表示ディスプレイが引き出される構造としてもよい。
また、左半分と右半分とで引き出される表示ディスプレイの枚数を異ならしてもよい。図９のような構成にすれば、入力フォーマットの異なった最大６種類の資料や放送・記録映像などを同時に閲覧することが可能となる。
【００３２】
上記実施例３では、自発光ロールスクリーンのような使用形態を想定したが、これに限定されることはなく、携帯機器としての移動体端末用として表示装置本体が小型化された使用形態であってもよい。また、実施例１や実施例２で記載した内容を含んだシステムとしてもよい。
【００３３】
また、上記実施例１〜３では、１枚の表示ディスプレイ内で複数の画像、所謂マルチ画面表示を行わない場合で説明したが、これに限定することはなく、処理回路は複雑化するが利便性等を追求する場合には、複数の画像を合成してフォーマット変換するなどして、１枚の表示ディスプレイ内で表示するような構成にしてもよい。携帯性・利便性など用途に応じて適宜最適なシステムを構成するようしてもよい。
【産業上の利用可能性】
【００３４】
本発明の表示装置は、電子ブック関連や携帯電話などの移動体端末用表示装置、カーナビゲーション用表示装置、自発光ロールスクリーン用表示装置等の用途に適用可能であるが、一部の表示パネルに透明パネルを搭載したりタッチパネル機能を搭載したりすれば、上記に記載したノートパソコンへの応用の他、ホワイトボードやメモボードとしての用途にも適用できる。
また、ビデオムービーやデジタルカメラ、各種リモコンなど表示ディスプレイを必要とする各種装置の一部機能として搭載することが可能であり、さまざまな用途に適用することが可能である。
【図面の簡単な説明】
【００３５】
【図１】実施例１に適用される表示装置の概略構成図（表示ディスプレイ収納時）である。
【図２】実施例１に適用される表示装置の概略構成図（表示ディスプレイ引出し時）である。
【図３】実施例２に適用される表示装置の概略構成図（表示ディスプレイ収納時）である。
【図４】実施例２に適用される表示装置の概略構成図（表示ディスプレイ引出し時）である。
【図５】実施例２に適用される表示装置の概略構成図（表示ディスプレイ引出し時）である。
【図６】実施例２に適用される表示装置の概略構成図のである。
【図７】本発明を用いた表示装置の実施例３の概略図一例である。
【図８】本発明を用いた表示装置の実施例３の実際の表示例である。
【図９】本発明を用いた表示装置の実施例３の他の概略図一例である。
【符号の説明】
【００３６】
１００…表示装置
１０１…表示装置
１０２…表示装置
１０３…表示装置
１０４…表示装置
１１０…表示制御部及び信号処理部
１１１ａ…表示制御部及び信号処理部
１１１ｂ…表示制御部及び信号処理部
１１２…表示制御部及び信号処理部
１１３ａ…表示制御部及び信号処理部
１１３ｂ…表示制御部及び信号処理部
１１３ｃ…表示制御部及び信号処理部
１２０…可撓性を有する表示ディスプレイ
１２１ａ…可撓性を有する表示ディスプレイ
１２１ｂ…可撓性を有する表示ディスプレイ
１２２…可撓性を有する表示ディスプレイ
１２３ａ…可撓性を有する表示ディスプレイ
１２３ｂ…可撓性を有する表示ディスプレイ
１２３ｃ…可撓性を有する表示ディスプレイ
１２４ａ…可撓性を有する表示ディスプレイ
１２４ｂ…可撓性を有する表示ディスプレイ
１２４ｃ…可撓性を有する表示ディスプレイ
１２４ｄ…可撓性を有する表示ディスプレイ
１２４ｅ…可撓性を有する表示ディスプレイ
１２４ｆ…可撓性を有する表示ディスプレイ
１３０…ディスプレイ引出し部
１３１ａ…ディスプレイ引出し部
１３１ｂ…ディスプレイ引出し部
１３２…ディスプレイ引出し部
１３３ａ…ディスプレイ引出し部
１３３ｂ…ディスプレイ引出し部
１３３ｃ…ディスプレイ引出し部
１３４ａ…ディスプレイ引出し部
１３４ｂ…ディスプレイ引出し部
１３４ｃ…ディスプレイ引出し部
１３４ｄ…ディスプレイ引出し部
１３４ｅ…ディスプレイ引出し部
１３４ｆ…ディスプレイ引出し部
１４０…表示ディスプレイ
１５０…信号処理部
１５２…信号処理部
１５３…信号処理部
１５４…信号入力部
１５５…信号入力部
１６０…操作ボタン
１７０ａ…引き伸ばし保持手段
１７０ｂ…引き伸ばし保持手段
【図１】
2005114796.tif 000003
【図２】
2005114796.tif 000004
【図３】
2005114796.tif 000005
【図４】
2005114796.tif 000006
【図５】
2005114796.tif 000007
【図６】
2005114796.tif 000008
【図７】
2005114796.tif 000009
【図８】
2005114796.tif 000010
【図９】
2005114796.tif 000011